(57)【特許請求の範囲】
【請求項１】
内容物が収容される内容器と、
前記内容器が収容される外容器と、
前記内容器の口部に形成された第１被係止部に回転によって係止される第１係止部、及び前記外容器の口部に形成された第２被係止部に回転よって係止される第２係止部を有し、容器軸を中心とした周方向の一方側から他方側への回転操作に伴って、前記内容器を前記外容器に対して固定する有頂筒状の装着キャップと、を備え、
前記内容器及び前記外容器は、前記内容器及び前記外容器に対する前記装着キャップの前記他方側への相対的な回転操作に伴って、前記装着キャップに対して装着され、
前記外容器における口部の開口端縁には、
周方向の前記一方側から前記他方側に向かうにしたがい容器軸方向に沿って漸次深くなる傾斜壁と、前記傾斜壁のうち周方向の前記他方側に配置され、周方向の前記一方側を向いた係止面と、を有する窪み部が形成され、
前記内容器には、
前記窪み部内に収容され、且つ前記装着キャップの前記他方側への回転に伴って前記傾斜壁上を移動して前記係止面に係止される係止突起が突設されていることを特徴とする二重容器。
【請求項２】
請求項１に記載の二重容器において、
前記傾斜壁は、傾斜の勾配が、前記外容器及び前記装着キャップの相対的な周方向の移動量に対する容器軸方向への移動量の割合と同等に形成されていることを特徴とする二重容器。
【請求項３】
請求項１又は２に記載の二重容器において、
前記内容器及び前記外容器には、前記係止突起が前記係止面から周方向の前記一方側に移動することを規制する規制部が形成されていることを特徴とする二重容器。
【発明の詳細な説明】
【技術分野】
【０００１】
本発明は、二重容器に関する。
【背景技術】
【０００２】
二重容器として、例えば下記特許文献１に示されるように、内容物が収容される有底筒状の内容器と、内容器が収容される有底筒状の外容器と、内容器の口部に装着される吐出器と、吐出器を露出させた状態で内容器を上方から覆うと共に外容器に対して装着されるカバーと、を備えた二重容器が知られている。
【０００３】
外容器の開口端縁には、周方向に間隔をあけて配置された係止用凹部が複数形成されている。また、外容器の外周面には、周方向に間隔をあけて配置されたガイド溝が複数形成されている。内容器には、外容器に向けて突出すると共に、係止用凹部に係止される係止用凸部が周方向に間隔をあけて複数形成されている。カバーには、ガイド溝内に嵌めこまれ、外容器に対する容器軸回りの回転によってガイド溝に係止されるガイド突起が周方向に間隔をあけて複数形成されている。
【０００４】
従って、この二重容器の組み立てを行う場合には、係止用凸部を係止用凹部内に係止させながら、内容器を外容器内に収容する。これにより、内容器と外容器とを周方向に位置決めした状態で組み合わせることができる。その後、ガイド突起をガイド溝内に嵌めこみ、外容器に対してカバーを捩じ込むように回転させる。これにより、外容器に対してカバーを装着することができ、カバーによって内容器の抜けを防止することができる。なお、吐出器は、例えば外容器内に内容器を収容する前、或いはカバーを装着した後に、内容器に装着する。
【先行技術文献】
【特許文献】
【０００５】
【特許文献１】特開２００４−１０６９３９号公報
【発明の概要】
【発明が解決しようとする課題】
【０００６】
しかしながら、上記従来の二重容器では、外容器と内容器とを組み合わせる際に、内容器の係止用凸部と外容器の係止用凹部とを周方向に位置合わせする必要があるので、組立作業性（セット性）が悪く、改善の余地があった。
【０００７】
本発明は、このような事情に鑑みてなされたものであって、その目的は、組立作業性に優れた二重容器を提供することである。
【課題を解決するための手段】
【０００８】
上記の目的を達成するために、この発明は以下の手段を提供している。
（１）本発明に係る二重容器は、内容物が収容される内容器と、前記内容器が収容される外容器と、前記内容器の口部に形成された第１被係止部に回転によって係止される第１係止部、及び前記外容器の口部に形成された第２被係止部に回転によって係止される第２係止部を有し、容器軸を中心とした周方向の一方側から他方側への回転操作に伴って、前記内容器を前記外容器に対して固定する有頂筒状の装着キャップと、を備え、前記内容器及び前記外容器は、前記内容器及び前記外容器に対する前記装着キャップの前記他方側への相対的な回転操作に伴って、前記装着キャップに対して装着され、前記外容器における口部の開口端縁には、周方向の前記一方側から前記他方側に向かうにしたがい容器軸方向に沿って漸次深くなる傾斜壁と、前記傾斜壁のうち周方向の前記他方側に配置され、周方向の前記一方側を向いた係止面と、を有する窪み部が形成され、前記内容器には、前記窪み部内に収容され、且つ前記装着キャップの前記他方側への回転に伴って前記傾斜壁上を移動して前記係止面に係止される係止突起が突設されていることを特徴とする。
【０００９】
この二重容器によれば、外容器内に内容器を収容した状態で、装着キャップを外容器及び内容器に対して周方向の一方側から他方側に向けて容器軸回りに回転させることで、内容器の第１被係止部に第１係止部が係止しはじめると共に、外容器の第２被係止部に第２係止部が係止しはじめるので、装着キャップに対して外容器及び内容器を共に係止させはじめることができる。この際、装着キャップの回転の初期段階では、内容器は装着キャップに僅かに係止した状態（甘噛み状態）で装着キャップの回転に伴って容器軸回りに共回りし、外容器に対して周方向の他方側に向けて移動する。これにより、内容器の係止突起は、傾斜壁上を該傾斜壁に沿って周方向の他方側に移動し、その後、窪み部内に収容された状態で係止面に係止する。これにより、外容器に対する内容器の周方向の他方側への移動が規制される。
そのため、それ以降、内容器が装着キャップと共に共回りすることを防止できるので、装着キャップのさらなる回転操作に伴って内容器に対して装着キャップを周方向の他方側に移動させることができ、例えば締め付けを行う等して係止を確実に行える。これにより、内容器に対する装着キャップの装着を完了できる。
【００１０】
また、上述した内容器に対する装着キャップの装着と共に、外容器に対する装着キャップの係止も進むので、内容器に対する装着キャップの装着が完了した時点で、外容器に対する装着キャップの装着を完了できる。これにより、内容器、外容器及び装着キャップを互いに組み合わせることができ、装着キャップを介して内容器を外容器に対して固定した二重容器を得ることができる。
【００１１】
特に、装着キャップの回転操作に伴って内容器を共回りさせ、内容器の係止突起を傾斜壁上で移動させて係止面に係止できるので、最終的に外容器と内容器との相対的な周方向の位置決めを行うことができる。従って、外容器内に内容器を収容する際に、外容器と内容器とを互いに周方向に位置合わせすることなく組み合わせることができるので、二重容器の組立作業性を向上することができる。
さらに、装着キャップを回転操作するだけで、内容器に対する装着キャップの装着作業と、外容器に対する装着キャップの装着作業とを一連の流れで同時に行うことができる。これによっても、二重容器の組立作業性を向上することができる。
【００１２】
（２）前記傾斜壁は、傾斜の勾配が、前記外容器及び前記装着キャップの相対的な周方向の移動量に対する容器軸方向への移動量の割合と同等に形成されても良い。
【００１３】
この場合には、傾斜壁の勾配が上記割合と同等であるので、外容器に対する装着キャップの装着動作と、内容器の共回りによる係止突起の傾斜壁上の移動動作とを、引っ掛かり少なくスムーズに行うことができ、二重容器の組立作業をより円滑に行うことができる。
【００１４】
（３）前記内容器及び前記外容器には、前記係止突起が前記係止面から周方向の前記一方側に移動することを規制する規制部が形成されても良い。
【００１５】
この場合には、内容器及び外容器に対して装着キャップを周方向の他方側から一方側に相対的に回転させて、装着キャップを取り外す際に、係止突起が係止面から離間する方向に移動することを規制できる。これにより、外容器に対して内容器を回転させることなく、装着キャップだけを内容器及び外容器からスムーズに取り外すことができる。従って、例えば外容器に収容されている内容器内に内容物を容易に充填することができ、利便性を向上することができる。
【発明の効果】
【００１６】
本発明に係る二重容器によれば、内容器に対する装着キャップの装着作業と、外容器に対する装着キャップの装着作業とを一連の流れで同時に行うことができる。また、外容器と内容器とを互いに周方向に位置合わせすることなく、外容器内に内容器を収容したとしても、最終的に外容器と内容器との相対的な周方向の位置決めを行うことができる。従って、二重容器の組立作業性を向上することができる。
【図面の簡単な説明】
【００１７】
【図１】本発明に係る二重容器の第１実施形態を示す縦断面図である。
【図２】図１に示す外容器の上面図である。
【図３】図１に示す外容器における係止面に、内容器における係止突起が係止している状態を示す外容器の一部側面図である。
【図４】図１に示す内容器の上面図である。
【図５】図１に示す二重容器の組み立てを行う際の一工程を示す縦断面図であって、外容器内に内容器を収容し、装着キャップを含む吐出器を内容器の上方から被せた状態を示す図である。
【図６】本発明に係る二重容器の第２実施形態を示す縦断面図である。
【図７】図６に示す外容器における係止面に、内容器における係止突起が係止している状態を示す外容器の側面図である。
【図８】図６に示す矢印Ａ−Ａ線に沿った断面図である。
【図９】図８に示す係止突起が係止面に係止される前の状態を示す図である。
【図１０】本発明に係る二重容器の変形例を示す図である。
【図１１】本発明に係る二重容器の別の変形例を示す図である。
【図１２】本発明に係る二重容器のさらに別の変形例を示す図である。
【図１３】図１２に示す係止突起が係止面に係止される前の状態であって、係止突起の凹部内に凸部が収容された状態を示す図である。
【発明を実施するための形態】
【００１８】
（第１実施形態）
以下、本発明に係る二重容器の第１実施形態について図面を参照して説明する。
図１に示すように、本実施形態の二重容器１は、内容物が収容される有底筒状の内容器２と、内容器２が収容される有底筒状の外容器３と、内容器２を外容器３に対して固定する有頂筒状の装着キャップ４を備える吐出器５と、を備えている。
本実施形態では、内容器２及び外容器３に対して装着キャップ４をねじ込み方式で結合（螺着）する場合を例に挙げて説明する。
【００１９】
なお、内容器２、外容器３及び装着キャップ４は、それぞれの中心軸が共通軸上に位置された状態で配設されている。本実施形態ではこの共通軸を容器軸Ｏといい、容器軸Ｏに沿った装着キャップ４側を上側、外容器３の底部３ａ側を下側という。また、容器軸Ｏ方向から見た平面視において、容器軸Ｏに直交する方向を径方向といい、容器軸Ｏ回りに周回する方向を周方向という。さらに、周方向のうち、二重容器１の上面視で容器軸Ｏを時計回りに周回する方向を第１方向Ｌ１（周方向の一方側から他方側に向かう方向）、その反対側を第２方向Ｌ２という。
【００２０】
外容器３について先に説明する。
外容器３は、図１に示すように、底部３ａ、胴部３ｂ及び口部３ｃを有する有底筒状に形成されている。図示の例では、胴部３ｂ及び口部３ｃは横断面視円形状に形成されている。但し、胴部３ｂの形状としては、この場合に限定されるものではなく、例えば横断面視楕円状や多角形状に形成されていても構わない。
【００２１】
口部３ｃは、胴部３ｂの外径よりも縮径している。但し、口部３ｃの内径は胴部３ｂの内径と同等とされている。口部３ｃの外周面には、装着キャップ４が螺着される雄ねじ部（第２被係止部）１０が形成されている。
この際、雄ねじ部１０は、外容器３に対して装着キャップ４を第１方向Ｌ１に相対的に回転させた際に、装着キャップ４が締まるように螺旋状に形成されている。
【００２２】
口部３ｃの開口端縁には、図２及び図３に示すように、周方向に沿って傾斜した傾斜壁１６を有する窪み部１５が形成されている。
この窪み部１５は、口部３ｃの開口端縁のうち該開口端縁の一部を水平に維持している水平部１２を除く部分に亘って形成されている。
【００２３】
傾斜壁１６は、水平部１２のうち第１方向Ｌ１側に位置する第１周端部１２ａから、第１方向Ｌ１に沿いながら、水平部１２のうち第２方向Ｌ２側に位置する第２周端部１２ｂに向かうにしたがい漸次下方に向けて深くなるように形成されている。
そのため、水平部１２における第２周端部１２ｂの側面は、第１周端部１２ａ側を向いた垂直な面とされている。この第２周端部１２ｂの側面は、傾斜壁１６のうち第２方向Ｌ２側に配置され、第１周端部１２ａ側を向いた係止面１３として機能すると共に窪み部１５を画成する壁面の一部とされている。
【００２４】
なお、傾斜壁１６は、口部３ｃの外周面に形成された雄ねじ部１０に対してほぼ平行となるように傾斜している。これにより、傾斜壁１６の勾配（周方向に沿った長さに対する深さの変化の割合）は、外容器３及び装着キャップ４の相対的な周方向の移動量に対する容器軸Ｏ方向への移動量の割合と同等とされている。
【００２５】
内容器２は、図１及び図４に示すように、底部２ａ、胴部２ｂ及び口部２ｃを有する有底筒状に形成され、外容器３との間に隙間をあけた状態で外容器３の内部に収容されている。図示の例では、胴部２ｂ及び口部２ｃは横断面視円形状に形成されている。
但し、胴部２ｂの形状としては、この場合に限定されるものではなく、例えば横断面視楕円状や多角形状に形成されていても構わない。
【００２６】
口部２ｃは、胴部２ｂよりも縮径しており、外容器３の口部３ｃよりも上方に位置している。口部２ｃの外周面には、装着キャップ４が螺着される雄ねじ部（第１被係止部）２０が形成されている。
この際、雄ねじ部２０は、内容器２に対して装着キャップ４を第１方向Ｌ１に相対的に回転させた際に、装着キャップ４が締まるように螺旋状に形成されている。従って、内容器２の雄ねじ部２０及び外容器３の雄ねじ部１０は、螺旋の向きが同じとされている。
【００２７】
口部２ｃの下端部には、径方向外側に向けて突出した環状のネックリング２１が形成されている。ネックリング２１の外径は、外容器３における口部３ｃの内径と同等以下とされている。さらに、このネックリング２１には、該ネックリング２１の外周縁から径方向外側に向けてさらに突出し、外容器３における口部３ｃの開口端縁上に位置する係止突起２２が形成されている。
【００２８】
係止突起２２は、図３及び図４に示すように、外容器３に形成された窪み部１５内に収容される厚みとされていると共に、係止面１３に対して係止されている。図示の例では、係止突起２２は、ネックリング２１からの径方向外側への突出量よりも、周方向に沿った周長の方が長く僅かに長い平面視矩形状に形成されている。また、係止突起２２のうち第１方向Ｌ１側に位置する第１周端面２２ａは、垂直な面とされ、係止面１３に対して当接している。これに対して、係止突起２２のうち第２方向Ｌ２側に位置する第２周端面２２ｂは、第１方向Ｌ１に向かうにしたがって漸次厚くなり、且つ傾斜壁１６側を向いた傾斜面とされている。
なお、係止突起２２は、装着キャップ４の第１方向Ｌ１への回転に伴って内容器２が共回りすることで、傾斜壁１６上を第１方向Ｌ１に移動した後に係止面１３に係止される。
【００２９】
吐出器５は、図１に示すように、上記装着キャップ４と、該装着キャップ４に固定され、内容器２内に収容された内容物を吐出するポンプ体３０と、を備えている。
【００３０】
装着キャップ４は、内容器２の口部２ｃを径方向外側から囲繞する第１装着筒４１と、第１装着筒４１よりも下方に配置され、外容器３の口部３ｃを径方向外側から囲繞する第２装着筒４２と、第１装着筒４１の下端部と第２装着筒４２の上端部とを連結し、内容器２のネックリング２１に対して上方から接触する環状のフランジ部４３と、第１装着筒４１の上端部から上方に向けて突出し、後述するポンプヘッド３２の容器軸Ｏ方向に沿った移動（上下動）を案内する案内筒４４と、を備えている。
【００３１】
第１装着筒４１の内周面には、内容器２の口部２ｃに形成された雄ねじ部２０に螺合する雌ねじ部（第１係止部）４５が形成されている。なお、内容器２の雄ねじ部２０及び装着キャップ４の雌ねじ部４５は、内容器２と装着キャップ４とを回転によって互いに係止させる第１回転係止手段として機能する。
また、第２装着筒４２の内周面には、外容器３の口部３ｃに形成された雄ねじ部１０に螺合する雌ねじ部（第２係止部）４６が形成されている。なお、外容器３の雄ねじ部１０及び装着キャップ４の雌ねじ４６は、外容器３と装着キャップ４とを回転によって互いに係止させる第２回転係止手段として機能する。
【００３２】
上述した第１回転係止手段及び第２回転係止手段により、内容器２及び外容器３は、内容器２及び外容器３に対する装着キャップ４の第１方向Ｌ１への相対的な回転操作に伴って装着キャップ４に対してそれぞれ螺着される。
つまり、装着キャップ４の回転によって、雌ねじ部４５が内容器２の雄ねじ部２０に螺合によって係止され、雌ねじ部４６が外容器３の雄ねじ部１０に螺合によって係止される。これにより、内容器２及び外容器３は装着キャップ４に装着（螺着）される。
【００３３】
第１装着筒４１と案内筒４４との接続部分には、径方向内側に向けて突出した環状壁４７が形成されている。この環状壁４７の内端部には、後述するポンプ本体３１を支持する支持筒４８が形成されている。環状壁４７は、パッキン４９を間に挟んだ状態で内容器２の口部２ｃの開口端縁上に配置されている。これにより、内容器２と装着キャップ４との間は、例えば気密又は液密にシールされている。
なお、パッキン４９に代えて、例えば環状壁４７に、該環状壁４７から下方に向けて突出し、且つ内容器２の口部２ｃの内側に嵌合する環状のシール筒（インナーリング）を形成し、これによって内容器２と装着キャップ４との間をシールしても良い。
【００３４】
ポンプ体３０は、装着キャップ４における支持筒４８によって支持された筒状のポンプ本体３１と、ポンプ本体３１の上端部に装着されたポンプヘッド３２と、を備えている。
ポンプ本体３１は、装着キャップ４内及び内容器２内に配置されている。ポンプ本体３１の内部には、内容器２内に収容された内容物が流通する図示しない導入路が形成されている。この導入路は、下端側が吸上筒３３を介して内容器２内に連通していると共に、上端側がポンプヘッド３２の後述する吐出口３２ａに連通している。
【００３５】
ポンプヘッド３２は、ポンプヘッド３２の上端部に上方付勢状態で押し下げ操作可能に配置されている。ポンプヘッド３２の外径は、案内筒４４の内径よりも縮径している。これにより、ポンプヘッド３２は、案内筒４４の内側で容器軸Ｏ方向に沿って移動可能とされている。ポンプヘッド３２には、ポンプ本体３１の導入路内に導入された内容物を外部に吐出する吐出口３２ａが形成されている。
【００３６】
なお、装着キャップ４には、案内筒４４、第１装着筒４１及びフランジ部４３の一部を径方向外側から覆う化粧カバー５０が装着されている。
化粧カバー５０は、案内筒４４の開口端縁上に被さると共に、第１装着筒４１の外周面に主に外装されるように取り付けられている。なお、化粧カバー５０のうち第１装着筒４１に対して径方向外側に位置する部分には、径方向外側に向けて突出した環状の係合突起５１が形成されている。
そして、ポンプヘッド３２を覆う有頂筒状のヘッドカバー５５が化粧カバー５０に着脱自在に装着され、上記係合突起５１にアンダーカット嵌合されている。
【００３７】
なお、化粧カバー５０は必須なものではなく具備しなくても構わない。この場合には、例えば第１装着筒４１に係合突起５１を形成し、ヘッドカバー５５をアンダーカット嵌合させても構わない。さらには、ヘッドカバー５５自体も必須なものではなく、具備しなくても構わない。
【００３８】
（二重容器の作用）
次に、上述したように構成された二重容器１の作用について説明する。なお、以下の説明では、主として二重容器１の組み立てについて説明する。
【００３９】
まず、図５に示すように、外容器３内に内容器２を上方から収容する。この際、外容器３と内容器２とを周方向に位置合わせする必要がない。従って、内容器２の係合突起５１は、外容器３における口部３ｃの開口端縁上の任意の位置に配置される。図示の例では、係止突起２２が水平部１２上に配置されている場合を例に挙げている。但し、係止突起２２が外容器３における傾斜壁１６上のいずれかの位置に配置されていても構わない。
【００４０】
次いで、装着キャップ４とポンプ体３０とが組み合わされた吐出器５を内容器２の上方から被せ、内容器２及び外容器３に対して装着キャップ４を第１方向Ｌ１に相対的に回転させる。これにより、装着キャップ４の雌ねじ部４５と内容器２の雄ねじ部２０とが螺合（係止）しはじめると共に、装着キャップ４の雌ねじ部４６と外容器３の雄ねじ部１０とが螺合（係止）しはじめる。
【００４１】
この際、装着キャップ４の回転の初期段階では、内容器２は装着キャップ４に対して僅かに螺合した状態（甘噛み状態）で、該装着キャップ４の回転に伴って容器軸Ｏ回りに共回りし、外容器３に対して相対的に第１方向Ｌ１に向けて移動する。
これにより、図３に示すように、内容器２の係止突起２２は、傾斜壁１６上を該傾斜壁１６に沿って第１方向Ｌ１に移動する。そして、装着キャップ４と共に内容器２が第１方向Ｌ１にさらに移動すると、係止突起２２の第１周端面２２ａが係止面１３に当接する。これにより、係止突起２２は、窪み部１５内に収容された状態で係止面１３に係止される。そのため、外容器３に対する内容器２の第１方向Ｌ１への移動が規制される。
【００４２】
従って、それ以降、内容器２が装着キャップ４と共に共回りすることを防止できるので、装着キャップ４のさらなる回転操作に伴って内容器２に対して装着キャップ４を第１方向Ｌ１に移動させることができ、締め付けを行うことができる。これにより、内容器２に対する装着キャップ４の装着（螺着）を完了することができる。
よって、図１に示すように、装着キャップ４と内容器２の開口端縁との間でパッキン４９を確実に挟み込むことができ、装着キャップ４と内容器２との間のシール性を確実にすることができる。
【００４３】
また、上述した内容器２に対する装着キャップ４の螺着と共に外容器３に対する装着キャップ４の螺着も進むので、内容器２に対する装着キャップ４の装着が完了した時点で、外容器３に対する装着キャップ４の装着（螺着）を完了できる。
これにより、内容器２、外容器３、及び装着キャップ４を有する吐出器５を互いに組み合わせることができ、装着キャップ４を介して内容器２を外容器３に対して固定した二重容器１を得ることができる。
なお、外容器３に対する装着キャップ４の螺着は、完全な締め付けがされている必要がなく、少なくとも装着キャップ４から外容器を脱落不能とさせる程度にすることもできる。
【００４４】
特に、装着キャップ４の回転操作に伴って内容器２を共回りさせ、内容器２の係止突起２２を傾斜壁１６上で移動させて係止面１３に係止できるので、最終的に外容器３と内容器２との相対的な周方向の位置決めを行うことができる。
従って、外容器３内に内容器２を収容する際に、外容器３と内容器２とを互いに周方向に位置合わせすることなく、余計な注意を払わずに両者を組み合わせることができるので、二重容器１の組立作業性を向上することができる。
【００４５】
さらに、装着キャップ４を回転操作するだけで、内容器２に対する装着キャップ４の装着作業と、外容器３に対する装着キャップ４の装着作業とを一連の流れで同時に行うことができる。これによっても、二重容器１の組み立て作業性を向上することができる。
加えて、装着キャップ４を回転操作するだけで、内容器２に対する装着キャップ４の装着作業と、外容器３に対する装着キャップ４の装着作業とを一連の流れで同時に行うことができるので、外容器３内に内容器２を収容し、その後、装着キャップ４を回転操作するだけで二重容器１の組み立てを行える。従って、内容器２の付け替え（交換）を容易且つ確実に行うことができ、利便性を向上することができる。
【００４６】
しかも、傾斜壁１６が外容器３の口部３ｃに形成された雄ねじ部１０に対してほぼ平行となるように傾斜していることで、傾斜壁１６の勾配が外容器３及び装着キャップ４の相対的な周方向の移動量に対する容器軸Ｏ方向への移動量の割合と同等とされている。
従って、外容器３に対する装着キャップ４の螺着動作（装着動作）と、内容器２の共回りによる係止突起２２の傾斜壁１６上の移動動作と、を引っ掛かり少なくスムーズに行うことができる。よって、二重容器１の組み立て作業をより円滑に行うことができる。
【００４７】
なお、本実施形態の二重容器１によれば、上述したように外容器３と内容器２とを互いに周方向に位置合わせすることなく外容器３内に内容器２を収容したとしても、最終的に外容器３と内容器２との相対的な周方向の位置決めを行うことができる。
従って、例えば外容器３を透明な容器とし、且つ内容器２及び外容器３に加飾を施した場合には、これらの加飾部分を適切に組み合わせた二重容器１とすることができる。従って、デザイン性に優れた二重容器とすることができる。また、自動組立機を利用した自動化にも容易に対応させ易い。
【００４８】
（第２実施形態）
次に、本発明に係る二重容器の第２実施形態について説明する。なお、この第２実施形態においては、第１実施形態における構成要素と同一の部分については、同一の符号を付しその説明を省略する。
【００４９】
図６〜図８に示すように、本実施形態の二重容器６０は、内容器２のネックリング２１の外周縁から径方向外側に向けて突出する規制突起６１をさらに備えている。この規制突起６１は、係止突起２２よりも第１方向Ｌ１に若干離れた位置に配置されていると共に、径方向外側に向けた突出量及び周方向に沿った周長が共に係止突起２２よりも短い。
【００５０】
さらに、内容器２のネックリング２１の外周縁には、下方に向けて突出し、外容器３における口部３ｃの内側に係合する環状の係合部６２が設けられている。
なお、係合部６２は環状（筒状）である必要がなく、例えば突起状し、周方向に間隔をあけて複数形成しても構わない。
【００５１】
また、外容器３における水平部１２の内周面には、係止突起２２が係止面１３に係止されたときに、内容器２の規制突起６１が入り込んで係止される係止孔６３が形成されている。係止孔６３に規制突起６１が係止されることで、係止突起２２は係止面１３から第２方向Ｌ２に移動することが規制される。
従って、上述した規制突起６１及び係止孔６３は、係止突起２２が係止面１３から第２方向Ｌ２に移動することを規制する規制部６４として機能する。
【００５２】
このように構成された二重容器６０によれば、組立作業を行う際に、第１実施形態と同様の作用効果を奏功することができる。それに加え、さらに以下の作用効果を奏功することができる。
すなわち、装着キャップ４の回転と共に内容器２が共回りする際、図９に示すように、係止突起２２及び規制突起６１が傾斜壁１６上を第１方向Ｌ１に移動する。そして、図８に示すように、係止突起２２が係止面１３に係止した際、規制突起６１は係止孔６３に入り込んで係止される。
【００５３】
従って、内容器２及び外容器３に対して装着キャップ４を第２方向Ｌ２に相対的に回転させて、装着キャップ４を含む吐出器５の全体を取り外す際に、係止孔６３と規制突起６１とによる係止によって、係止突起２２が係止面１３から離間する方向（第２方向Ｌ２）に移動することを規制できる。
これにより、外容器３に対して内容器２を回転させることなく、装着キャップ４だけを内容器２及び外容器３からスムーズに取り外すことができる。その結果、例えば内容物の吐出後、外容器３から内容器２を取り外すことができるので、装着キャップ４を含む吐出器５と共に内容器２が取り外されてしまう場合とは異なり、装着キャップ４から内容器２を取り外す手間が不要となる。従って、内容器２を速やかに取り外すことができ、内容器２の付け替え作業がさらに容易になるので、利便性をさらに向上できる。
【００５４】
さらに、本実施形態の二重容器６０によれば、内容器２の係合部６２を外容器３における口部３ｃの内側に係合させることができるので、装着キャップ４を取り外す際に、外容器３に対する係合部６２の摺動抵抗によっても内容器２が外容器３に対して第２方向Ｌ２に移動し難くなる。従って、このことによっても、装着キャップ４だけを内容器２及び外容器３から取り外し易い。
【００５５】
なお、本発明の技術範囲は、上記実施形態に限定されるものではなく、本発明の趣旨を逸脱しない範囲において、種々の変更を加えることが可能である。
【００５６】
例えば、上記各実施形態では、内容器２及び外容器３に対して装着キャップ４をねじ込み方式で結合（螺着）する場合を例に挙げて説明したが、ねじ込み方式に限定されるものではない。例えば、内容器２及び外容器３に対して装着キャップ４をバヨネット結合させても構わない。
【００５７】
この場合には、例えば内容器２の口部２ｃの外周面にキー溝（第１被係止部）を形成すると共に、外容器３の口部３ｃの外周面にキー溝（第２被係止部）を形成し、さらに、装着キャップ４の第１装着筒４１の内周面に、内容器２の口部２ｃに形成された上記キー溝に挿入される第１係止ピン（第１係止部）を形成し、装着キャップ４の第２装着筒４２の内周面に、外容器３の口部３ｃに形成された上記キー溝に挿入される第２係止ピン（第２係止部）を形成すれば良い。
そして、内容器２及び外容器３に対して装着キャップ４を第１方向に相対的に回転させることで、第１係止ピン及び第２係止ピンをそれぞれキー溝内にねじ込んで係止させれば良い。従って、この場合であっても、装着の仕方が異なるだけで同様の作用効果を奏功することができる。
【００５８】
なお、内容器２及び外容器３に対して装着キャップ４をねじ込み方式で結合（螺着）する場合、各ねじ部は上記実施形態のように一条ねじでも構わないが、多条ねじにしても良い。
【００５９】
また、上記実施形態では、ネックリング２１を内容器２に一体に形成したが、内容器２とは別体にネックリング２１を形成し、内容器２に対してネックリング２１を組み合わせて固定しても良い。この場合には、ネックリング２１に係止突起２２をより精度良く形成し易い。
【００６０】
また、上記各実施形態において、内容器２として内容物の減少に伴い減容変形する可撓性に富む内容器を採用しても構わない。この場合、例えば第１実施形態に示すように、外容器３における口部３ｃと内容器２のネックリング２１との間を通じて、外容器３と内容器２との間の隙間と外容器３の外部との間で空気置換を行える。従って、内容物の減少に伴って内容器２を適切に減容変形させることが可能である。
【００６１】
また、上記各実施形態では、内容器２と外容器３との間に隙間を確保したが、例えば内容器２の底部２ａ及び胴部２ｂが外容器３の内面に接するように、外容器３内に内容器２を収容しても構わない。この場合であっても同様の作用効果を奏功することができる。但し、内容器２と外容器３との間に隙間を確保することで、抵抗少なく内容器２を装着キャップ４と共に共回りさせ易くなる。
【００６２】
また、上記各実施形態では、外容器３内に内容器２を収容し、その後に、装着キャップ４とポンプ体３０とが組み合わされた吐出器５を内容器２の上方から被せ、内容器２及び外容器３に対して装着キャップ４を第１方向Ｌ１に相対的に回転させたが、この場合に限定されるものではない。
例えば、内容器２と装着キャップ４とを予め螺着させておき、その後、外容器３内に、装着キャップ４を介して吐出器５が組み合わされた内容器２を収容し、装着キャップ４を回転させることで装着キャップ４と外容器３とを螺着しても構わない。この場合であっても、外容器３と内容器２とを周方向に位置決めした状態で二重容器を組み立てることができる。
但し、内容器２の付け替えを容易に行うという観点では、外容器３内に内容器２を収容し、その後、装着キャップ４を回転させる組み立てを行った方が好ましい。
【００６３】
さらに、上記各実施形態において、係止突起が係止面に係止される直前にいわゆるクリック感を感じながら装着キャップを回転操作できるように構成しても構わない。
例えば、図１０に示すように、係止突起２２における第２周端面２２ｂの少なくとも一部を、第１周端面２２ａに対して平行な垂直面に形成する。また、外容器３の水平部１２の上側部分から第２方向Ｌ２に向けて突出したアーム部７０を形成する。さらに、アーム部７０の先端部に下方に向けて突出し、且つ係止突起２２の第２周端面２２ｂよりも第２方向Ｌ２側に位置する凸部７１を形成する。
【００６４】
このように構成した場合には、装着キャップ４と共に内容器２が第１方向Ｌ１に共回りし、それによって係止突起２２が傾斜壁１６上を第１方向Ｌ１に移動すると、係止突起２２は凸部７１を乗り越えながら係止面１３に係止する。従って、係止突起２２には凸部７１を乗り越える際に抵抗が付与される。
その結果、係止突起２２が係止面１３に係止される直前に、いわゆるクリック感を触覚として捉えらながら装着キャップ４の回転操作を行うことができる。よって、操作性を向上することができると共に、締め切り感を得ながら装着キャップ４の回転操作を行える。
【００６５】
なお、この場合において、図１１に示すように、凸部７１に、係止突起２２の第２周端面２２ｂが係止される係止面７１ａを形成しても良い。このように構成した場合には、さらに以下の作用効果を奏功することができる。
内容器２及び外容器３に対して装着キャップ４を第２方向Ｌ２に相対的に回転させて、装着キャップ４を含む吐出器５の全体を取り外す際に、係止突起２２の第２周端面２２ｂと係止面７１ａとを係止させて、係止突起２２が係止面１３から第２方向Ｌ２に移動することを規制することができる。
【００６６】
従って、外容器３に対して内容器２を回転させることなく、装着キャップ４だけを内容器２及び外容器３から取り外すことができる。このように、第２実施形態と同様の作用効果を奏功することができる。
なお、係止突起２２の第２周端面２２ｂと、係止面７１ａが形成された凸部７１を有するアーム部７０とは、係止突起２２が係止面１３から第２方向Ｌ２に移動することを規制する規制部７５として機能する。
【００６７】
さらに、上述したクリック感を２回感じながら装着キャップ４の回転操作を行えるように構成しても構わない。
例えば、図１２及び図１３に示すように、傾斜壁１６上に係止突起２２が乗り越え可能な凸部８０を形成する。この際、凸部８０は係止面１３に係止された係止突起２２よりも第２方向Ｌ２側に位置している。また、この場合の係止突起２２は、第２周端面２２ｂが第１周端面２２ａに平行な垂直面とされている。そして、傾斜壁１６に接する係止突起２２の下面には凹部８１が形成されている。
【００６８】
このように構成された場合には、装着キャップ４と共に内容器２が第１方向Ｌ１に共回りし、それによって係止突起２２が傾斜壁１６上を第１方向Ｌ１に移動すると、係止突起２２は凸部８０を乗り越えながら係止面１３に係止する。この際、係止突起２２は、図１３に示すように、凸部８０を一旦乗り越えて凹部８１内に該凸部８０を収容した後、図１２に示すように、該凸部８０を再度乗り越える。
【００６９】
従って、係止突起２２は凸部８０を２回乗り越えた後に、係止面１３に係止されるので、係止突起２２には凸部８０を乗り越える際の２回の抵抗が付与される。その結果、係止突起２２が係止面１３に係止される直前に、いわゆる２回のクリック感を触覚として捉えらながら装着キャップ４の回転操作を行うことができる。よって、操作性をさらに向上することができる。
【符号の説明】
【００７０】
Ｏ…容器軸
１、６０…二重容器
２…内容器
２ｃ…内容器の口部
３…外容器
３ｃ…外容器の口部
４…装着キャップ
１０…雄ねじ部（第２被係止部）
１３…係止面
１５…窪み部
１６…傾斜壁
２０…雄ねじ部（第１被係止部）
２２…係止突起
４５…雌ねじ部（第２係止部）
４６…雌ねじ部（第１係止部）
６４、７５…規制部
【図１】
0006442324.tif 000002
【図２】
0006442324.tif 000003
【図３】
0006442324.tif 000004
【図４】
0006442324.tif 000005
【図５】
0006442324.tif 000006
【図６】
0006442324.tif 000007
【図７】
0006442324.tif 000008
【図８】
0006442324.tif 000009
【図９】
0006442324.tif 000010
【図１０】
0006442324.tif 000011
【図１１】
0006442324.tif 000012
【図１２】
0006442324.tif 000013
【図１３】
0006442324.tif 000014